(57)【特許請求の範囲】
【請求項１】
長尺状の電極箔に活物質が塗工された電極塗工部と塗工されていない電極未塗工部とを有する電極をセパレータを介在させて扁平形状に捲回した捲回電極群と、
前記捲回電極群を収容し、電解液が注入される電池容器と、
前記電池容器に設けられた電極端子と、
前記電極未塗工部と前記電極端子とを接続する電極集電体とを備え、
前記電極未塗工部は、前記電極箔の捲回方向に延在された境界部を境として前記電極箔の端部側に設定された接合領域と、前記接合領域と前記電極塗工部との間に設定された孔加工領域とを有し、前記孔加工領域に複数の貫通孔が捲回方向に沿って形成され、
前記孔加工領域に設けられた前記貫通孔は、隣り合う層で貫通孔同士が重なり合うように、捲回方向に配列され、
前記電極箔に設けられた前記貫通孔における捲回方向の長さは、捲回方向に隣接する一対の貫通孔間に存在する前記電極箔の長さよりも長いことを特徴とする二次電池。
【請求項２】
請求項１に記載の二次電池において、
前記貫通孔は、長手方向が捲回方向に平行に、短手方向が捲回方向に直交する長円形状とされていることを特徴とする二次電池。
【発明の詳細な説明】
【技術分野】
【０００１】
本発明は、二次電池に関する。
【背景技術】
【０００２】
近年、ハイブリッド電気自動車や純粋な電気自動車等の動力源として大容量（Ｗｈ）の二次電池が開発されており、その中でもエネルギー密度（Ｗｈ／ｋｇ）の高い角形のリチウムイオン二次電池が注目されている（特許文献１参照）。
【０００３】
角形のリチウムイオン二次電池においては、正極箔に正極活物質を塗工した正極電極、負極箔に負極活物質を塗工した負極電極およびそれぞれを絶縁するためのセパレータを重ね合わせて捲回することで扁平形状の捲回電極群が形成される。捲回電極群は、正負集電体および負極集電体を介して、電池容器の電池蓋に設けられた正極端子および負極端子に電気的に接続される。捲回電極群は、電池容器の電池缶に収容され、電池缶の開口部は電池蓋で封止溶接される。二次電池は、電池蓋に設けられた注液孔から電解液が注液された後、注液栓が挿入されてレーザ溶接により封止溶接されることで形成される。
【先行技術文献】
【特許文献】
【０００４】
【特許文献１】特開２００８−６６２５４号公報
【発明の概要】
【発明が解決しようとする課題】
【０００５】
捲回電極群の捲回軸方向の一端部には正極束状電極接続部（特許文献１の正極集電板群に相当）が形成され、他端部には負極束状電極接続部が形成されている。正負極束状電極接続部は、それぞれ正負極活物質合剤が塗工されない正負極未塗工部の積層部が予め押し潰されることで形成される。正負極束状電極接続部は、それぞれ正負極集電体（特許文献１の集電タブ部材に相当）に超音波接合等により接続される。
【０００６】
このため、電池容器に注入された電解液は、主に、捲回電極群の捲回軸方向の両端の正負極束状電極接続部を除く部分、すなわち電池蓋側の湾曲部近傍および電池缶底面側の湾曲部近傍における正極箔同士の隙間（捲回電極群の開口部）や負極箔同士の隙間（捲回電極群の開口部）から捲回電極群の内部に浸入することになる。
【０００７】
特許文献１に記載の二次電池では、捲回電極群の開口部の面積が小さいために、電解液が捲回電極群の内部に浸入しにくく、電解液の注液作業に時間がかかるという問題点があった。
【０００８】
ところで、リチウムイオン二次電池は、過充電や短絡を生じた場合に発熱して、電池内部に高温のガスが発生することがある。上記した捲回電極群の開口部は、電解液の入口としての機能だけでなく、捲回電極群内で発生したガスを捲回電極群外に排出する排出口としての機能も担っている。このため、上記した捲回電極群の開口部の総面積を大きくすることで、ガス排出性能を向上させたいという要望もあった。
【課題を解決するための手段】
【０００９】
請求項１に係る発明は、長尺状の電極箔に活物質が塗工された電極塗工部と塗工されていない電極未塗工部とを有する電極をセパレータを介在させて扁平形状に捲回した捲回電極群と、前記捲回電極群を収容し、電解液が注入される電池容器と、前記電池容器に設けられた電極端子と、前記電極未塗工部と前記電極端子とを接続する電極集電体とを備え、前記電極未塗工部は、前記電極箔の捲回方向に延在された境界部を境として前記電極箔の端部側に設定された接合領域と、前記接合領域と前記電極塗工部との間に設定された孔加工領域とを有し、前記孔加工領域に複数の貫通孔が捲回方向に沿って形成され、前記孔加工領域に設けられた前記貫通孔は、隣り合う層で貫通孔同士が重なり合うように、捲回方向に配列され、前記電極箔に設けられた前記貫通孔における捲回方向の長さは、捲回方向に隣接する一対の貫通孔間に存在する前記電極箔の長さよりも長いことを特徴とする二次電池である。
【発明の効果】
【００１０】
本発明によれば、複数の貫通孔を設けることで、電解液の入口としての捲回電極群の開口部の総面積を拡大したので、電解液の注液作業に要する時間を短縮でき、二次電池の生産性を向上させることができる。また、本発明によれば、複数の貫通孔を設けることで、ガスの排出口としての捲回電極群の開口部の総面積を拡大したので、捲回電極群内で発生したガスを素早く捲回電極群外に排出することができ、二次電池の安全性を向上させることができる。
【図面の簡単な説明】
【００１１】
【図１】本発明の第１の実施の形態に係る二次電池の外観を示す斜視図。
【図２】図１の二次電池の構成を示す分解斜視図。
【図３】図２の正極端子と正極集電体との接続部を示す断面模式図。
【図４】図１の二次電池の電池缶に収容される捲回電極群を示す斜視図。
【図５】捲回電極群の積層構造を説明するための断面模式図。
【図６】捲回電極群を作製する手順を示すフローチャート。
【図７】正極箔を示す平面模式図。
【図８】正極電極を示す平面模式図。
【図９】捲回工程を説明するための斜視図。
【図１０】捲回電極群の正極束状電極接続部を示す部分拡大斜視図。
【図１１】捲回電極群を示す平面断面模式図。
【図１２】正極未塗工部の接合部分を模式的に示した図。
【図１３】貫通孔の孔ピッチおよび孔径を説明するための図。
【図１４】図１１のＡ１部およびＡ２部を示す部分拡大断面模式図。
【図１５】貫通孔を通る電解液の流れを示す概念図。
【図１６】本発明の第２の実施の形態に係る二次電池の電池容器に収容される捲回電極群を示す斜視図。
【図１７】図１６の捲回電極群の平面断面模式図。
【発明を実施するための形態】
【００１２】
以下、本発明による二次電池を角形リチウムイオン電池に適用した実施の形態を、図面を参照して説明する。
―第１の実施の形態―
図１は二次電池１００の外観を示す斜視図であり、図２は図１の二次電池１００の構成を示す分解斜視図である。
【００１３】
図１および図２に示すように、二次電池１００は、扁平な直方体形状であって、電池缶１０１と電池蓋１０２とからなる電池容器を備えている。電池缶１０１および電池蓋１０２の材質は、アルミニウムまたはアルミニウム合金などである。
【００１４】
図２に示すように、電池缶１０１には捲回電極群１７０が収容されている。電池缶１０１は、一対の幅広面１０１ａと一対の幅狭面１０１ｂと底面１０１ｃとを有し、一端が開口された矩形箱状に形成されている。捲回電極群１７０は絶縁ケース１０８に覆われた状態で電池缶１０１に収容されている。絶縁ケース１０８の材質は、ポリプロピレンやポリエチレンテレフタレート等の絶縁性を有する樹脂である。これにより、電池缶１０１の底面および側面と、捲回電極群１７０とは電気的に絶縁されている。
【００１５】
図１および図２に示すように、電池蓋１０２は、矩形平板状であって、電池缶１０１の開口を塞ぐようにレーザ溶接されている。つまり、電池蓋１０２は、電池缶１０１を封止している。電池蓋１０２には、捲回電極群１７０の正極電極１７４および負極電極１７５のそれぞれに正極集電体１８０および負極集電体１９０を介して電気的に接続された正極端子１４１および負極端子１５１が配設されている。
【００１６】
正極端子１４１が正極集電体１８０を介して捲回電極群１７０の正極電極１７４に電気的に接続され、負極端子１５１が負極集電体１９０を介して捲回電極群１７０の負極電極１７５に電気的に接続されている。このため、正極端子１４１および負極端子１５１を介して外部負荷に電力が供給され、あるいは、正極端子１４１および負極端子１５１を介して外部発電電力が捲回電極群１７０に供給されて充電される。
【００１７】
図２に示すように、電池蓋１０２には、電池容器内に電解液を注入するための注液孔１０６ａが穿設されている。注液孔１０６ａは、図１に示すように、電解液注入後に注液栓１０６ｂによって封止される。電解液としては、たとえば、エチレンカーボネート等の炭酸エステル系の有機溶媒に６フッ化リン酸リチウム（ＬｉＰＦ６）等のリチウム塩が溶解された非水電解液を用いることができる。
【００１８】
図１および図２に示すように、電池蓋１０２の表面には、ガス排出弁１０３が凹設されている。ガス排出弁１０３は、内圧作用時の応力集中度合が相対的に高くなるように、プレス加工によって電池蓋１０２を部分的に薄肉化することで形成されている。ガス排出弁１０３は、二次電池１００が過充電等の異常により発熱してガスが発生し、電池容器内の圧力が上昇して所定圧力（たとえば、約１ＭＰａ）に達したときに開裂して、内部からガスを排出することで電池容器内の圧力を低減させる。
【００１９】
図３は、図２の正極端子１４１と正極集電体１８０との接続部を示す断面模式図であり、図１のＩＩＩ−ＩＩＩ線切断断面を示している。なお、図３では正極側の構成を示しているが、正極側と負極側とは、同様の形状、構成であるため、便宜上、かっこ書きで負極側の構成要素の参照番号を付している。図２および図３に示すように、正負極端子１４１，１５１と正負極集電体１８０，１９０が電池蓋１０２に取り付けられることで、蓋組立体１０７が形成される。
【００２０】
図２に示すように、蓋組立体１０７は、電池蓋１０２と、電池蓋１０２に設けられた一対の貫通孔１０２ｈのそれぞれに取り付けられた正極端子１４１および負極端子１５１と、正極集電体１８０および負極集電体１９０と、一対のガスケット１３０と、一対の絶縁部材１６０とを含んで構成されている。
【００２１】
正極端子１４１および正極集電体１８０の材質はアルミニウム合金である。正極端子１４１は、正極集電体１８０に電気的に接続される。負極端子１５１および負極集電体１９０の材質は銅合金である。負極端子１５１は、負極集電体１９０に電気的に接続される。絶縁部材１６０およびガスケット１３０の材質は、ポリブチレンテレフタレートやポリフェニレンサルファイド、ペルフルオロアルコキシフッ素樹脂等の絶縁性を有する樹脂である。
【００２２】
図２に示すように、電池蓋１０２には、一対の円形状の貫通孔１０２ｈが設けられている。貫通孔１０２ｈには、ガスケット１３０を介して正負極端子１４１，１５１の貫通部１４３，１５３が挿通される。
【００２３】
図２に示すように、正極集電体１８０は、電池蓋１０２の内面に沿って配置される矩形平板状の端子接続部１８１と、端子接続部１８１の長辺側部から略直角に曲がって、電池缶１０１の幅広面１０１ａに沿いながら電池缶１０１の底面１０１ｃに向かって延在する平面板１８２と、平面板１８２の下端に設けた連結部１８６により接続される接合板１８３とを備えている。接合板１８３は、超音波接合により捲回電極群１７０の正極電極１７４に電気的に接続される部分であり、正極電極１７４との接合面１８３ａを有している。端子接続部１８１には、後述する正極端子１４１の突部１４５が挿通される円形状の貫通孔１８４が設けられている。図３に示すように、端子接続部１８１には、正極端子１４１がカシメおよび溶接により固着されている。
【００２４】
同様に、図２に示すように、負極集電体１９０は、電池蓋１０２の内面に沿って配置される矩形平板状の端子接続部１９１と、端子接続部１９１の長辺側部から略直角に曲がって、電池缶１０１の幅広面１０１ａに沿いながら電池缶１０１の底面１０１ｃに向かって延在する平面板１９２と、平面板１９２の下端に設けた連結部１９６により接続される接合板１９３とを備えている。接合板１９３は、超音波接合により捲回電極群１７０の負極電極１７５に電気的に接続される部分であり、負極電極１７５との接合面１９３ａを有している。端子接続部１９１には、後述する負極端子１５１の突部１５５が挿通される円形状の貫通孔１９４が設けられている。図３に示すように、端子接続部１９１には、負極端子１５１がカシメおよび溶接により固着されている。
【００２５】
図３に示すように、正負極集電体１８０，１９０の端子接続部１８１，１９１のそれぞれと、電池蓋１０２との間には略矩形平板状の絶縁部材１６０が配置されている。絶縁性を有する絶縁部材１６０が、正負極集電体１８０，１９０の端子接続部１８１，１９１のそれぞれと電池蓋１０２との間に介在されているため、正負極集電体１８０，１９０のそれぞれと電池蓋１０２とは電気的に絶縁されている。
【００２６】
図２に示すように、絶縁部材１６０には、後述する正負極端子１４１，１５１の貫通部１４３，１５３（図３参照）が挿通される円形状の貫通孔１６０ｈが設けられている。
【００２７】
図２および図３に示すように、正極端子１４１は、円柱形状の外部端子部１４２と、外部端子部１４２の一端から電池蓋１０２側に向かって突設されて、上記した電池蓋１０２の貫通孔１０２ｈおよび絶縁部材１６０の貫通孔１６０ｈを貫通する円柱形状の貫通部１４３と、貫通部１４３の一端から捲回電極群１７０側に向かって突設された円筒状の突部１４５（図２参照）とを備えている。正極端子１４１は、貫通部１４３の外径寸法が外部端子部１４２の外径寸法よりも小さく、突部１４５の外径寸法が貫通部１４３の外径寸法よりも小さくなるように形成されている。正極端子１４１の貫通部１４３は、ガスケット１３０が装着された状態で、電池蓋１０２の貫通孔１０２ｈに挿通される。
【００２８】
同様に、図２および図３に示すように、負極端子１５１は、円柱形状の外部端子部１５２と、外部端子部１５２の一端から電池蓋１０２側に向かって突設されて、上記した電池蓋１０２の貫通孔１０２ｈおよび絶縁部材１６０の貫通孔１６０ｈを貫通する円柱形状の貫通部１５３と、貫通部１５３の一端から捲回電極群１７０側に向かって突設された円筒状の突部１５５（図２参照）とを備えている。負極端子１５１は、貫通部１５３の外径寸法が外部端子部１５２の外径寸法よりも小さく、突部１５５の外径寸法が貫通部１５３の外径寸法よりも小さくなるように形成されている。負極端子１５１の貫通部１５３は、ガスケット１３０が装着された状態で、電池蓋１０２の貫通孔１０２ｈに挿通される。
【００２９】
図３に示すように、ガスケット１３０は、円筒状の筒部１３０ａと、筒部１３０ａの上端から外方に延在する円環状の鍔部１３０ｂと、鍔部１３０ｂの外縁から上方に立ち上がる円筒状の覆い部１３０ｃとを有している。
【００３０】
正極端子１４１の円筒状の突部１４５は、正極集電体１８０の端子接続部１８１に形成された貫通孔１８４に挿通される。外部端子部１４２の下端面と電池蓋１０２の外表面とでガスケット１３０の鍔部１３０ｂが挟まれ、貫通部１４３の下端面が端子接続部１８１に当接された状態で、円筒状の突部１４５の先端が正極集電体１８０の端子接続部１８１にかしめられる。
【００３１】
その結果、正極集電体１８０の端子接続部１８１はカシメ部１４５ｓと貫通部１４３の下端面によって挟持され、絶縁部材１６０、電池蓋１０２およびガスケット１３０の鍔部１３０ｂは端子接続部１８１と外部端子部１４２の下端面とによって挟持されている。カシメ部１４５ｓと端子接続部１８１とは、かしめ固定された後、レーザによりスポット溶接される。
【００３２】
同様に、負極端子１５１の円筒状の突部１５５は、負極集電体１９０の端子接続部１９１に形成された貫通孔１９４に挿通される。外部端子部１５２の下端面と電池蓋１０２の外表面とでガスケット１３０の鍔部１３０ｂが挟まれ、貫通部１５３の下端面が端子接続部１９１に当接された状態で、円筒状の突部１５５の先端が負極集電体１９０の端子接続部１９１にかしめられる。
【００３３】
その結果、負極集電体１９０の端子接続部１９１はカシメ部１５５ｓと貫通部１５３の下端面によって挟持され、絶縁部材１６０、電池蓋１０２およびガスケット１３０の鍔部１３０ｂは端子接続部１９１と外部端子部１５２の下端面とによって挟持されている。カシメ部１５５ｓと端子接続部１９１とは、かしめ固定された後、レーザによりスポット溶接される。
【００３４】
このように、正極端子１４１は、正極集電体１８０の端子接続部１８１にカシメおよび溶接により固着され、負極端子１５１は、負極集電体１９０の端子接続部１９１にカシメおよび溶接により固着されている。これにより、正極集電体１８０と正極端子１４１とが電気的に接続され、負極集電体１９０と負極端子１５１とが電気的に接続される。
【００３５】
ガスケット１３０の筒部１３０ａは、正負極端子１４１，１５１の貫通部１４３，１５３のそれぞれと、電池蓋１０２の貫通孔１０２ｈとの間に介在するように配置されている。ガスケット１３０の鍔部１３０ｂは、所定量圧縮された状態で、電池蓋１０２の外表面と正負極端子１４１，１５１の外部端子部１４２，１５２の円環状端面との間に介在するように配置されている。
【００３６】
これにより、正負極端子１４１，１５１のそれぞれと電池蓋１０２との間が封止され、電池容器の気密性が確保されている。ガスケット１３０は上記したように絶縁性を有しているため、正負極端子１４１，１５１のそれぞれと電池蓋１０２とは電気的に絶縁されている。
【００３７】
図４は、二次電池１００の電池缶１０１に収容される捲回電極群１７０を示す斜視図である。図４に示すように、蓄電要素である捲回電極群１７０は、長尺状の正極電極１７４および負極電極１７５を、それぞれを絶縁するためのセパレータ１７３を介在させて捲回軸Ｗ周りに扁平形状に捲回することで積層構造とされている。
【００３８】
図５は、捲回電極群１７０の積層構造を説明するための断面模式図である。捲回電極群１７０は、図５（ａ）に示すように、長尺シート状のセパレータ１７３ａと、長尺シート状の負極電極１７５と、長尺シート状のセパレータ１７３ｂと、長尺シート状の正極電極１７４とを順に積層したシート層を、図５（ｂ）に示すように、負極電極１７５が捲回電極群１７０の最内周および最外周に位置し、かつ、捲回電極群１７０の両端部に円弧状面が形成されるように扁平形状に捲回したものである。
【００３９】
図５（ａ）において、負極電極１７５は正極電極１７４よりも長く切り出され、図５（ｂ）に示すように、負極電極１７５の巻き始め端部１７５Ｓおよび巻き終わり端部１７５Ｅは、正極電極１７４の巻き始め端部１７４Ｓおよび巻き終わり端部１７４Ｅを覆うように構成されている。なお、シート状のセパレータ１７３ａ，１７３ｂは、正極電極１７４と負極電極１７５との間に介在し、シート状のセパレータ１７３ｂが捲回電極群１７０の外周面を構成する。捲回電極群１７０を製造方法については後述する。
【００４０】
図５（ａ）のシート層を捲回して構成される捲回電極群１７０の外形形状は、図４および図５に示すように、両端に形成された円弧状の湾曲面と、両湾曲面に連接する表裏の平坦面１７０Ｐとで規定される扁平形状である。なお、便宜上、図４に示す上側の湾曲面を上部湾曲面１７０Ｕ、下側の湾曲面を下部湾曲面１７０Ｌと記す。
【００４１】
図４に示すように、正極電極１７４は、正極活物質合剤が正極箔１７１の両面に塗工された正極塗工部１７６ａと、正極活物質合剤が正極箔１７１の両面に塗工されていない正極未塗工部１７６ｂとを有している。正極活物質合剤は、正極活物質に結着材（バインダ）が配合されてなる。負極電極１７５は、負極活物質合剤が負極箔１７２の両面に塗工された負極塗工部１７７ａと、負極活物質合剤が負極箔１７２の両面に塗工されていない負極未塗工部１７７ｂとを有している。負極活物質合剤は、負極活物質に結着材（バインダ）が配合されてなる。正極活物質と負極活物質との間では、充放電が行われる。
【００４２】
正極箔１７１は厚さ２０〜３０μｍ程度のアルミニウム箔であり、負極箔１７２は厚さ１５〜２０μｍ程度の銅箔である。正極活物質は、ニッケル酸リチウム、コバルト酸リチウム、マンガン酸リチウム等のリチウム含有遷移金属複酸化物である。負極活物質は、リチウムイオンを可逆に吸蔵、放出可能な非晶質炭素、天然黒鉛、人造黒鉛等の炭素材である。正極電極１７４と負極電極１７５との間に介在するセパレータ１７３は、たとえばポリエチレン樹脂よりなる微多孔性材料によって形成されたポリエチレン多孔質フィルムであり、微孔内に電解液を保持する。なお、セパレータ１７３の素材としては、ポリプロピレン多孔質フィルムや合成樹脂製不織布などを用いてもよい。
【００４３】
捲回電極群１７０の幅方向（捲回方向に直交する捲回軸Ｗ方向）の両端部は、一方が正極未塗工部１７６ｂ（正極箔１７１の露出部）の積層部とされ、他方が負極未塗工部１７７ｂ（負極箔１７２の露出部）の積層部とされている。
【００４４】
図６〜図９を参照して、捲回電極群１７０の製造工程について説明する。図６は捲回電極群１７０を作製する手順を示すフローチャートである。図７は正極箔１７１を示す平面模式図であり、図８は正極電極１７４を示す平面模式図である。図９は捲回工程を説明するための斜視図である。図７では正極箔、図８では正極電極の構成を示しているが、正極箔１７１と負極箔１７２、正極電極１７４と負極電極１７５とは、構成素材の材質が異なるが同様の形状であるため、便宜上、かっこ書きで負極側の構成要素の参照番号を付している。
【００４５】
正極電極１７４は、図６に示すように、準備工程Ｓ１０１、パンチング加工工程Ｓ１０６、活物質合剤塗工工程Ｓ１１１、乾燥工程Ｓ１１６、プレス工程Ｓ１２１、および、切断工程Ｓ１２６を経て作製される。なお、負極電極１７５は、正極電極１７４と同様の工程Ｓ１０１〜Ｓ１２６を経て作製されるため、以下、Ｓ１０１〜Ｓ１２６の工程については、正極電極１７４を代表して説明し、負極電極１７５の作製工程については省略する。
【００４６】
準備工程Ｓ１０１では、図７（ａ）に示すように、正極電極１７４の２倍の幅を有する長尺シート状の電極箔素材である正極箔１７１を準備する。図７および図８の符号７０は２枚の正極電極１７４を作製するための分割線である。分割線７０は、一条の正極電極１７４を二分するための仮想線であり、素材の短手方向の中心に設定されている。後述する切断工程において、分割線７０上で正極電極１７４が切断されると、この線が正極電極１７４の一方の長辺となる。
【００４７】
分割線７０を挟む図７の左右の領域には、幅ｗ１×２の帯状の活物質塗工領域１１が設定され、活物質塗工領域１１には後述するように活物質合剤が塗工される。長尺の正極箔１７１の左右の両長辺側縁部には活物質が塗工されない活物質未塗工領域１２がそれぞれ設定される。
【００４８】
活物質未塗工領域１２は、端部側（長辺側）に設定される接合領域１２ａと、接合領域１２ａと活物質塗工領域１１との間に設定される孔加工領域１２ｂとを有している。接合領域１２ａは、上記した正極集電体１８０の接合板１８３が接合される領域である。接合領域１２ａは、正極箔１７１の端部側において、電気的導通を取るために必要な幅ｗ３が確保されている。
【００４９】
孔加工領域１２ｂは、後述するように多数の貫通孔ＴＨが形成される領域として幅ｗ２が確保されている。孔加工領域１２ｂは、活物質塗工領域１１と接合領域１２ａとの間において、帯状に確保されている。
【００５０】
パンチング加工工程Ｓ１０６では、図７（ｂ）に示すように正極箔１７１の孔加工領域１２ｂにパンチング加工が施される。孔加工領域１２ｂにパンチング加工が施されると、正極箔１７１に多数の貫通孔ＴＨが正極箔１７１の長辺に沿って、すなわち捲回電極群１７０の捲回方向に沿って形成される。貫通孔ＴＨは、貫通孔ＴＨの長手方向が正極箔１７１の長辺に平行（すなわち捲回方向に平行）に、貫通孔ＴＨの短手方向が正極箔１７１の長辺に直交（すなわち捲回方向に直交）する長円形状とした。なお、長円形状には、長軸が正極箔１７１の長辺に平行に、短軸が正極箔１７１の長辺に直交する楕円形状や、正極箔１７１の長辺に平行する２本の直線の両端にそれぞれ円弧を接続した形状であるレーシングトラック形状（不図示）が含まれるものとする。本実施の形態では、一例として長軸の長さ（長径）がｄ１、短軸の長さ（短径）がｄ２の楕円形状の貫通孔ＴＨについて記載している。
【００５１】
活物質合剤塗工工程Ｓ１１１では、図８（ａ）に示すように、正極箔１７１の両面の活物質塗工領域１１に活物質合剤が塗工される。
【００５２】
乾燥工程Ｓ１１６では、塗工された活物質合剤が乾燥されて、プレス工程Ｓ１２１において活物質合剤層が加圧成形される。
【００５３】
切断工程Ｓ１２６では、正極電極１７４の素材が分割線７０に沿って、すなわち、素材が短手方向の中央で長手方向に切断されて、図８（ｂ）に示すように正極電極１７４が同時に二条作製される。
なお、上記したように、負極電極１７５についても、正極電極１７４と同様の工程Ｓ１０１〜Ｓ１２６を経て作製される。
【００５４】
捲回工程Ｓ１３０では、図９に示すように、不図示のローラに接触させて張力を付与しながら、正極電極１７４と負極電極１７５とセパレータ１７３とを重ね合わせつつ捲回することで捲回電極群１７０が作製される。
【００５５】
捲回に際しては、ポリプロピレン樹脂等からなる捲回軸（巻芯）１６にセパレータ１７３を複数回捲回して軸芯を形成する。捲回軸１６の片側からセパレータ１７３ｂの下側に負極電極１７５を巻き込み、セパレータ１７３ａの上側に正極電極１７４を巻き込む。捲回軸１６を回転させることで、セパレータ１７３ａと正極電極１７４およびセパレータ１７３ｂと負極電極１７５は、それぞれ水平に設置されるガイドローラ１７によって案内されつつ軸芯の周りに捲回される。捲回の際、正極未塗工部１７６ｂと負極未塗工部１７７ｂとを互いに反対側に配置する。
【００５６】
捲回電極群１７０の最内周および最外周で捲回方向に正極電極１７４が負極電極１７５からはみ出ないように、負極電極１７５の長手方向（捲回方向）の長さは、正極電極１７４の長手方向（捲回方向）の長さに比べて長く設定されている（図５参照）。負極電極１７５の負極塗工部１７７ａの短手方向（捲回軸方向）の長さは、短手方向（捲回軸方向）に正極塗工部１７６ａが負極塗工部１７７ａからはみ出ないように、正極電極１７４の正極塗工部１７６ａの短手方向（捲回軸方向）の長さに比べて長く設定されている（図１４参照）。巻終わり部分には、セパレータ１７３を複数回捲回する。
【００５７】
捲回時は、正極電極１７４、負極電極１７５、セパレータ１７３ａ，１７３ｂともに、長手方向に１０Ｎの荷重を掛けて伸展しつつ、正極電極１７４および負極電極１７５、セパレータ１７３ａ，１７３ｂのそれぞれの長手方向の側面端部が一定位置になるように蛇行制御される。
【００５８】
このようにして作製された捲回電極群１７０は、図４に示すように、捲回軸方向の一端部に正極未塗工部１７６ｂの積層部が配置され、捲回軸方向の他端部に負極未塗工部１７７ｂの積層部が配置される。
【００５９】
図１０は、捲回電極群１７０の正極束状電極接続部１７８を示す部分拡大斜視図である。図１０では、正極束状電極接続部１７８の構成を示しているが、正極束状電極接続部１７８と負極束状電極接続部１７９とは、構成素材の材質が異なるが同様の形状であるため、便宜上、かっこ書きで負極側の構成要素の参照番号を付している。
【００６０】
正極未塗工部１７６ｂの積層部は、予め押し潰されることで、捲回電極群１７０の厚み方向に圧縮されて、正極束状電極接続部１７８が形成されている。同様に、負極未塗工部１７７ｂの積層部は、予め押し潰されることで、捲回電極群１７０の厚み方向に圧縮されて、負極束状電極接続部１７９が形成されている。
【００６１】
図１１は、捲回電極群１７０を示す平面断面模式図である。正極束状電極接続部１７８には、正極集電体１８０の接合板１８３が超音波接合され、負極束状電極接続部１７９には、負極集電体１９０の接合板１９３が超音波接合されている。正極束状電極接続部１７８と正極集電体１８０との接合の際には、矩形平板状の保護板１８９が使用されて正極箔１７１の損傷が防止される。負極束状電極接続部１７９と負極集電体１９０との接合の際には、矩形平板状の保護板１９９が使用されて負極箔１７２の損傷が防止される。
【００６２】
接合板１８３と保護板１８９との間に正極束状電極接続部１７８を介在させ、図示しない超音波発振ホーンとアンビルによりそれらを挟持して超音波接合する。これにより、正極束状電極接続部１７８を構成する正極箔１７１同士が接合されるとともに、正極束状電極接続部１７８と、正極集電体１８０の接合板１８３と、保護板１８９とが接合される。
同様に、接合板１９３と保護板１９９との間に負極束状電極接続部１７９を介在させ、図示しない超音波発振ホーンとアンビルによりそれらを挟持して超音波接合する。これにより、負極束状電極接続部１７９を構成する負極箔１７２同士が接合されるとともに、負極束状電極接続部１７９と、負極集電体１９０の接合板１９３と、保護板１９９とが接合される。
【００６３】
上記したように、正負極束状電極接続部１７８，１７９は、図４に示した捲回電極群１７０の正負極未塗工部１７６ｂ，１７７ｂの積層部を押し潰して形成している。このため、正負極束状電極接続部１７８，１７９のそれぞれを構成する正極箔１７１同士、負極箔１７２同士の接合部分は、捲回電極群１７０の厚み方向中心側と外側とで、接合領域１２ａ内における位置にずれが生じる。図１２は、正極未塗工部１７６ｂの接合部分１２ｃを模式的に示した図である。図１２（ａ）は、捲回電極群１７０の厚み方向の中心側に位置する正極未塗工部１７６ｂの接合部分１２ｃを示す図であり、図１２（ｂ）は、捲回電極群１７０の厚み方向の外側に位置する正極未塗工部１７６ｂの接合部分１２ｃを示す図である。図１２では、正極側の構成を示しているが、負極側についても構成素材の材質が異なるが同様の形状であるため、便宜上、かっこ書きで負極側の構成要素の参照番号を付している。
【００６４】
捲回電極群１７０の厚み方向の中心側に位置する正極未塗工部１７６ｂの接合部分１２ｃ（図１２（ａ）参照）は、捲回電極群１７０の厚み方向の外側に位置する正極未塗工部１７６ｂの接合部分１２ｃ（図１２（ｂ）参照）の位置に比べて、捲回軸方向の内側（正極塗工部１７６ａ側）に位置している。同様に、捲回電極群１７０の厚み方向の中心側に位置する負極未塗工部１７７ｂの接合部分１２ｃは、捲回電極群１７０の厚み方向の外側に位置する負極未塗工部１７７ｂの接合部分１２ｃの位置に比べて、捲回軸方向の内側（負極塗工部１７７ａ側）に位置している。
【００６５】
このように、接合部分１２ｃの位置にずれが生じるのは、図４に示した捲回電極群１７０の正負極未塗工部１７６ｂ，１７７ｂのそれぞれの積層部が厚み方向中心側に向かって厚み方向外側から押し潰されることで、図１１に示すように、厚み方向の中心側に比べて外側に位置する正負極未塗工部１７６ｂ，１７７ｂが大きく湾曲するためである。
【００６６】
上記した接合領域１２ａは、正負極集電体１８０，１９０のそれぞれと正負極束状電極接続部１７８，１７９のそれぞれとの電気的導通が十分にとれる接合面積と、厚み方向の外側の接合部分１２ｃと中心側の接合部分１２ｃの位置ずれを考慮して設定されている。
【００６７】
図１３を参照して、正負極電極１７４，１７５のそれぞれに設けられる複数の貫通孔ＴＨについて説明する。図１３は貫通孔ＴＨの孔ピッチｐおよび孔径ｄ１を説明するための図である。図１３では、正極側の構成を示しているが、負極側も同様の形状であるため、便宜上、かっこ書きで負極側の構成要素の参照番号を付している。図１３に示すように、捲回電極群１７０の正負極未塗工部１７６ｂ，１７７ｂのそれぞれに設けられた貫通孔ＴＨは、隣り合う層で貫通孔ＴＨ同士が重なり合うように、捲回方向に配列されている。
【００６８】
図１３では、捲回電極群１７０（図４参照）の正極未塗工部１７６ｂの所定の層の貫通孔の符号をＴＨ１、所定の層より１層内側の正極未塗工部１７６ｂに形成される貫通孔の符号をＴＨ２として付し、貫通孔ＴＨ２について破線で示している。
【００６９】
捲回方向、すなわち正負極箔１７１，１７２の長辺に沿う方向の貫通孔ＴＨの長さ（孔径）ｄ１は、捲回方向に隣接する一対の貫通孔ＴＨ間に存在する正負極箔１７１，１７２の長さｃよりも長くなるように設定されている（ｄ１＞ｃ）。換言すれば、貫通孔ＴＨのピッチｐは、貫通孔ＴＨの長さ（孔径）ｄ１の２倍より小さい値に設定されている（ｐ＜ｄ１×２）。
【００７０】
これにより、図１３（ａ）および図１３（ｂ）に示すように、少なくとも隣り合う層で貫通孔ＴＨ１と貫通孔ＴＨ２とが重なる重なり領域ＬＡが形成される。
【００７１】
電解液を注入する方法は、たとえば、電池蓋１０２が上側になるように電池容器を平面台上に載置し、電池容器内部の減圧と電解液注入の２つの機能を持った治具（不図示）を注液孔１０６ａに取り付ける。電池容器内圧がたとえば２７ｋＰａ程度になるまで減圧し、その後、所定量の電解液を注入する。
【００７２】
電池容器内に電解液が注入されると、捲回電極群１７０の開口部から電解液が捲回電極群１７０の内部に流入し、所定時間が経過すると、捲回電極群１７０の内部全域に電解液が含浸される。なお、捲回電極群１７０の捲回軸方向の両端部には正負極束状電極接続部１７８，１７９のそれぞれと正負極集電体１８０，１９０のそれぞれとが超音波接合されおり、接合部分の正極箔１７１同士、あるいは、接合部分の負極箔１７２同士は密着している。
【００７３】
捲回電極群１７０の開口部としては、捲回電極群１７０の捲回軸方向の両端において、正負極束状電極接続部１７８，１７９を除く部分、すなわち電池蓋１０２側の湾曲部近傍および電池缶底面１０１ｃ側の湾曲部近傍における正極箔１７１同士の隙間、および、負極箔１７２同士の隙間が確保されている。
【００７４】
本実施の形態では、捲回電極群１７０の開口部として、さらに複数の貫通孔ＴＨが設けられ、捲回電極群１７０の開口部の総面積が拡大されている。図１４および図１５を参照して、捲回電極群１７０の内部に浸入する電解液の流れについて説明する。図１４は図１１のＡ１部およびＡ２部を示す部分拡大断面模式図であり、図１５は貫通孔ＴＨを通る電解液の流れを示す概念図である。図１４および図１５では、貫通孔ＴＨを通る電解液の流れを矢印で模式的に示している。なお、負極側の電解液の流れは、正極側の電解液の流れと同様であるため、以下、正極箔１７１の貫通孔ＴＨを通る電解液を代表して説明し、負極箔１７２の貫通孔ＴＨを通る電解液の流れの説明については省略する。
【００７５】
図１５では、捲回電極群１７０の外周面を構成する正極箔１７１を第１層ＬＰ１とし、第１層ＬＰ１より１層内側の正極箔１７１を第２層ＬＰ２とし、第２層ＬＰ２より１層内側の正極箔１７１を第３層ＬＰ３として図示している。なお、図１５では、第１層ＬＰ１から第３層ＬＰ３までのみを拡大して図示しているが、実際には数十層の正極箔１７１が配置されている。
【００７６】
図１５（ａ）は、隣り合う層で貫通孔ＴＨ同士が重なり合うように各貫通孔ＴＨを配列した本実施の形態を示し、図１５（ｂ）は隣り合う層で貫通孔ＴＨ同士が重ならないように、各貫通孔ＴＨを配列した第１の実施の形態の変形例を比較例として示している。
【００７７】
図１５（ａ）に示すように、電池容器内面と捲回電極群１７０との隙間に充填された電解液は第１層ＬＰ１の貫通孔ＴＨから、第１層ＬＰ１と第２層ＬＰ２との間の第１空間ＳＰ１に流入する。第１空間ＳＰ１に流入した電解液は、第１空間ＳＰ１から第２層ＬＰ２と第３層ＬＰ３との間の第２空間ＳＰ２に流入する。貫通孔ＴＨは隣り合う層で貫通孔ＴＨ同士が重なり合うように配列されているため、隣り合う層で貫通孔ＴＨ同士が重ならない比較例（図１５（ｂ）参照）に比べて、スムーズに電解液が捲回電極群１７０の厚み方向中心側へ流れる。
【００７８】
ところで、二次電池１００は、過充電や短絡を生じた場合に発熱して、電池内部に高温のガスが発生することがある。捲回電極群１７０内部で発生したガスは、捲回電極群１７０の開口部から捲回電極群１７０の外へ排出される。つまり、上記した貫通孔ＴＨは、電解液の入口としての機能だけでなく、捲回電極群１７０の内部で発生したガスを捲回電極群１７０の外へ排出する排出口としての機能も担っている。本実施の形態では、貫通孔ＴＨを複数設けることで、捲回電極群１７０の開口部の面積が拡大されているため、捲回電極群１７０の内部で発生したガスは速やかに捲回電極群１７０の外へ排出される。
【００７９】
上述した本実施の形態によれば、以下のような作用効果を奏することができる。
（１）正極未塗工部１７６ｂにおける正極集電体１８０との接合部と、正極塗工部１７６ａとの間に、複数の貫通孔ＴＨを捲回方向に沿って形成した。負極未塗工部１７７ｂにおける負極集電体１９０との接合部と、負極塗工部１７７ａとの間に、複数の貫通孔ＴＨを捲回方向に沿って形成した。複数の貫通孔ＴＨを設けることで、捲回電極群１７０の開口部の総面積を拡大した。
【００８０】
電池容器の注液孔１０６ａから注入された電解液は、複数の貫通孔ＴＨを含む捲回電極群１７０の開口部から捲回電極群１７０の内部に浸入するため、貫通孔ＴＨを設けていない従来技術に比べて、短時間で電解液を捲回電極群１７０の内部全域に含浸させることができる。その結果、電解液の注液作業に要する時間を短縮できるため、二次電池１００の生産性を向上させることができる。
【００８１】
（２）捲回電極群１７０の開口部は、捲回電極群１７０の内部でガスが発生した際のガス排出経路としても機能する。本実施の形態では、貫通孔ＴＨを設けることで捲回電極群１７０の開口部の総面積を拡大したので、捲回電極群１７０の内部で発生したガスを素早く捲回電極群１７０の外に排出することができる。捲回電極群１７０の内部温度および内部圧力の上昇を抑制し、捲回電極群１７０の開口部から高温、高圧のガスが噴出されることを防止して、二次電池１００の安全性を向上させることができる。
【００８２】
（３）捲回電極群１７０の正負極未塗工部１７６ｂ，１７７ｂのそれぞれに設けられた貫通孔ＴＨは、隣り合う層で貫通孔ＴＨ同士が重なり合うように、捲回方向に配列した（図１３、図１５（ａ）参照）。これにより、隣り合う層で貫通孔ＴＨ同士が重ならないように、複数の貫通孔ＴＨを捲回方向に配列した比較例に係る捲回電極群（図１５（ｂ）参照）に比べて、スムーズに電解液を捲回電極群１７０に流入させて、短時間で電解液を捲回電極群１７０の内部全域に含浸させることができる。
【００８３】
（４）貫通孔ＴＨは、長手方向が捲回方向に平行に、短手方向が捲回方向に直交する長円形状とした。これにより、捲回電極群１７０の製造過程において、正極箔１７１および負極箔１７２のそれぞれに加わる張力を起因とした応力集中を緩和することができる。
【００８４】
（５）正極未塗工部１７６ｂにおける正極集電体１８０との接合部と、正極塗工部１７６ａとの間、ならびに、負極未塗工部１７７ｂにおける負極集電体１９０との接合部と、負極塗工部１７７ａとの間は、正負極束状電極接続部１７８，１７９を形成する際に湾曲する部分として従来より所定の長さが確保されている。本実施の形態の二次電池１００では、この部分を孔加工領域１２ｂとしており、貫通孔ＴＨを設けるために正極箔１７１および負極箔１７２の短手方向の長さを従来より余分に長くする必要がない。つまり、本実施の形態によれば、二次電池１００のコンパクト性を維持しつつ、捲回電極群１７０の開口部の総面積を拡大させることができる。
【００８５】
―第２の実施の形態―
図１６および図１７を参照して第２の実施の形態に係る二次電池を説明する。図１６は本発明の第２の実施の形態に係る二次電池の電池容器に収容される捲回電極群２７０を示す斜視図であり、図１７は捲回電極群２７０の平面断面模式図であり、電解液の流れを矢印で模式的に示している。図１６では、正極側の構成を示しているが、負極側も同様の形状であるため、便宜上、かっこ書きで負極側の構成要素の参照番号を付している。なお、第１の実施の形態と同様の箇所には１００番台に代えて２００番台の参照番号を付し、下２桁を同一番号として、相違点について主に説明する。
【００８６】
第２の実施の形態では、第１の実施の形態で説明した製造工程（図６〜図９）を経て作製された捲回電極群２７０の両端部のそれぞれに形成される正負極束状電極接続部２７８，２７９の形状が、第１の実施の形態と異なる。第２の実施の形態では、図１６および図１７に示すように、捲回電極群２７０の一端部に設けられた正極未塗工部２７６ｂの積層部が２つに分離されるように予め押し潰され、厚み方向に圧縮されることで、一対の正極束状電極接続部２７８が形成されている。同様に、捲回電極群２７０の他端部に設けられた負極未塗工部２７７ｂの積層部が２つに分離されるように予め押し潰され、厚み方向に圧縮されることで、一対の負極束状電極接続部２７９が形成されている。
【００８７】
図１７に示すように、正極束状電極接続部２７８には、正極集電体２８０の接合板２８３が超音波接合され、負極束状電極接続部２７９には、負極集電体２９０の接合板２９３が超音波接合されている。正極束状電極接続部２７８と正極集電体２８０との接合の際には、矩形平板状の保護板２８９が使用されて正極箔２７１の損傷が防止される。負極束状電極接続部２７９と負極集電体２９０との接合の際には、矩形平板状の保護板２９９が使用されて負極箔２７２の損傷が防止される。
【００８８】
正極箔２７１に設けられる複数の貫通孔ＴＨは、図１７に示すように、捲回電極群２７０の平坦部と、正極束状電極接続部２７８との間の湾曲部に設けられている。本実施の形態では、正極箔２７１の複数の貫通孔ＴＨは、図１７において二点鎖線で模式的に示すように、捲回電極群２７０の平坦部近傍の範囲２１２ｐにおいて、捲回方向に沿って配列されている。
同様に、負極箔２７２に設けられる複数の貫通孔ＴＨは、図１７に示すように、捲回電極群２７０の平坦部と、負極束状電極接続部２７９との間の湾曲部に設けられている。本実施の形態では、負極箔２７２の複数の貫通孔ＴＨは、図１７において二点鎖線で模式的に示すように、捲回電極群２７０の平坦部近傍の範囲２１２ｎにおいて、捲回方向に沿って配列されている。
【００８９】
このような第２の実施の形態の二次電池によれば、第１の実施の形態と同様の効果を奏する。
さらに、第２の実施の形態では、正負極未塗工部２７６ｂ，２７７ｂの積層部がそれぞれ２つに分離されるように押し潰して一対の正極束状電極接続部２７８および一対の負極束状電極接続部２７９を形成したので、一対の正極束状電極接続部２７８間および一対の負極束状電極接続部２７９間のそれぞれに空間Ｓが形成される。
【００９０】
これにより、電解液注入の際、電池缶１０１の幅広面１０１ａ側の正負極箔２７１，２７２の貫通孔ＴＨ、ならびに、空間Ｓ側の正負極箔２７１，２７２の貫通孔ＴＨから電解液が捲回電極群２７０の内部に浸入する。このため、第１の実施の形態に比べて、より早く捲回電極群２７０の内部全域に電解液を含浸させることができる。また、捲回電極群２７０の内部で発生したガスをより早く捲回電極群２７０の外に排出することができる。
【００９１】
なお、次のような変形も本発明の範囲内であり、変形例の一つ、もしくは複数を上述の実施形態と組み合わせることも可能である。
［変形例］
（１）上記した実施の形態では、貫通孔ＴＨの形状を長円形状としたが、本発明はこれに限定されない。円形状や多角形状など種々の形状を採用できる。なお、角部の無い形状を採用することで応力集中を緩和させることができるため、多角形形状に比べて円形状や長円形状を採用することが好適である。
【００９２】
（２）上記した実施の形態では、正負極未塗工部１７６ｂ，１７７ｂ，２７６ｂ，２７７ｂのそれぞれにおいて、複数の貫通孔ＴＨを捲回方向に沿って一列に配置したが、本発明はこれに限定されず、複数列に配置してもよい。複数列の貫通孔ＴＨを配列する場合、配列レイアウトは千鳥状であってもよいし、碁盤目状であってもよい。
【００９３】
（３）上記した実施の形態では、電池容器の形状を角形としたが、本発明はこれに限定されない。断面長円形状の扁平形電池容器としてもよく、電池缶の開口を電池蓋によって封止する薄形の種々の電池容器を採用できる。
（４）リチウムイオン二次電池を一例として説明したが、ニッケル水素電池などその他の二次電池にも本発明を適用できる。
【００９４】
（５）正極端子１４１、正極集電体１８０および正極箔１７１，２７１の材質は、アルミニウムに限定されることなく、アルミニウム合金としてもよい。負極端子１５１、負極集電体１９０および負極箔１７２，２７２の材質は、銅に限定されることなく、銅合金としてもよい。
【００９５】
本発明は、上記した実施の形態に限定されるものでなく、発明の要旨を逸脱しない範囲で自由に変更、改良が可能である。
【符号の説明】
【００９６】
１１  活物質塗工領域、１２  活物質未塗工領域、１２ａ  接合領域、１２ｂ  孔加工領域、１２ｃ  接合部分、１６  捲回軸、１７  ガイドローラ、７０  分割線、１００  二次電池、１０１  電池缶、１０１ａ  幅広面、１０１ｂ  幅狭面、１０１ｃ  底面、１０２  電池蓋、１０２ｈ  貫通孔、１０３  ガス排出弁、１０６ａ  注液孔、１０６ｂ  注液栓、１０７  蓋組立体、１０８  絶縁ケース、１３０  ガスケット、１３０ａ  筒部、１３０ｂ  鍔部、１３０ｃ  覆い部、１４１  正極端子、１４２  外部端子部、１４３  貫通部、１４５  突部、１４５ｓ  カシメ部、１５１  負極端子、１５２  外部端子部、１５３  貫通部、１５５  突部、１５５ｓ  カシメ部、１６０  絶縁部材、１６０ｈ  貫通孔、１７０  捲回電極群、１７０Ｌ  下部湾曲面、１７０Ｐ  平坦面、１７０Ｕ  上部湾曲面、１７１  正極箔、１７２  負極箔、１７３  セパレータ、１７４  正極電極、１７４Ｅ  巻き終わり端部、１７４Ｓ  巻き始め端部、１７５  負極電極、１７５Ｅ  巻き終わり端部、１７５Ｓ  巻き始め端部、１７６ａ  正極塗工部、１７６ｂ  正極未塗工部、１７７ａ  負極塗工部、１７７ｂ  負極未塗工部、１７８  正極束状電極接続部、１７９  負極束状電極接続部、１８０  正極集電体、１８１  端子接続部、１８２  平面板、１８３  接合板、１８３ａ  接合面、１８４  貫通孔、１８４  接合板、１８６  連結部、１８９  保護板、１９０  負極集電体、１９１  端子接続部、１９２  平面板、１９３  接合板、１９３ａ  接合面、１９４  貫通孔、１９４  接合板、１９６  連結部、１９９  保護板、２７０  捲回電極群、２７１  正極箔、２７２  負極箔、２７６ｂ  正極未塗工部、２７７ｂ  負極未塗工部、２７８  正極束状電極接続部、２７９  負極束状電極接続部、２８０  正極集電体、２８４  接合板、２８９  保護板、２９０  負極集電体、２９４  接合板、２９９  保護板
【図１】
0005957239.tif 000002
【図２】
0005957239.tif 000003
【図３】
0005957239.tif 000004
【図４】
0005957239.tif 000005
【図５】
0005957239.tif 000006
【図６】
0005957239.tif 000007
【図７】
0005957239.tif 000008
【図８】
0005957239.tif 000009
【図９】
0005957239.tif 000010
【図１０】
0005957239.tif 000011
【図１１】
0005957239.tif 000012
【図１２】
0005957239.tif 000013
【図１３】
0005957239.tif 000014
【図１４】
0005957239.tif 000015
【図１５】
0005957239.tif 000016
【図１６】
0005957239.tif 000017
【図１７】
0005957239.tif 000018